(57)【要約】【課題】階段踏み板に支柱を固定する際に、正確かつ迅速に、支柱の前面での固定位置を位置決めできる階段施工用位置決め治具を提供する。【解決手段】位置決め治具１０は、階段踏み板２０の前端面２０ａに接するように仮設置した支柱２５の前面２５ａにあてがわれる前板部１１と、支柱２５の側面２５ｂにあてがわれる側板片１２と、側板片１２より後方に延びた、階段踏み板２０の上下の一方面にあてがわれる上下位置決め用突片１３とを備え、前板部１１に、支柱２５の前面２５ａにおける、支柱２５と階段踏み板２０との交差部３０の高さ位置に対応した交差前面部３１のうちの少なくとも踏み板２１の前端面２１ａに相当する部位が露出されるマーキング開所１４が形成されている。【選択図】図１
2017053152.tif 000002
【特許請求の範囲】
【請求項１】
階段踏み板の前端面に固定する支柱の前面における固定用のマーキング位置を決定するための階段施工用位置決め治具であって、
前記階段踏み板は、踏み板と、該踏み板の段鼻部の切り欠き空間に配設した軟質材とを備えており、
前記階段踏み板の前端面に接するように仮設置した前記支柱の前面にあてがわれる前板部と、前記階段踏み板の前端面に接するように仮設置した前記支柱の側面にあてがわれる側板片と、該側板片より後方に延びた、前記階段踏み板の上下の一方面にあてがわれる上下位置決め用突片とを備え、前記前板部に、前記支柱の前面における前記踏み板の前端面に対応した部位の一部が露出されるマーキング開所が形成されていることを特徴とする階段施工用位置決め治具。
【請求項２】
請求項１において、
前記マーキング開所は、前記階段踏み板の前端面における前記踏み板と前記軟質材との境界から下端位置までの中間の高さ位置に形成されている、階段施工用位置決め治具。
【請求項３】
請求項１または２において、
前記側板片として、前記支柱の幅寸法分、離間して左右に２片形成され、それぞれの後端に前記上下位置決め用突片が連成されている、階段施工用位置決め治具。
【発明の詳細な説明】
【技術分野】
【０００１】
本発明は、階段踏み板の前端面に支柱を固定する場合において、支柱の前面における固定位置を位置決めするための階段施工用位置決め治具に関する。
【背景技術】
【０００２】
従来、階段踏み板に手摺り用の支柱を取り付ける構造として、支柱と階段踏み板とを連結固定する取付部材を用いたものが提案されている（たとえば、特許文献１、２参照）。この取付部材は、支柱を抱持して、両端部を階段踏み板の前端面あるいは裏面に固定する取付構造となっている。
【０００３】
このような取付構造であるため、支柱の階段踏み板への取付位置さえ定まれば、連結部材の階段踏み板への固定位置はおのずと定まる。そのため、その固定位置を位置決めすることに特段の不便な点はない。
【先行技術文献】
【特許文献】
【０００４】
【特許文献１】特開２００５−２１３９３４号公報
【特許文献２】特開２０１３−１６３９３２号公報
【発明の概要】
【発明が解決しようとする課題】
【０００５】
ところで、階段踏み板に手摺り用の支柱を固定する方法として、上記のような連結部材を用いずに、釘やビスなどの固定具で直接固定する方法がある。特に、支柱の前方から階段踏み板の前端面にビス等を打ち込めば、迅速な固定作業を行うことができる。また、部材点数も少なくできる。
【０００６】
しかしながら、支柱は階段踏み板に対して十字状になるように配されるため、固定具は２部材が交差した小さな面積の部位に打ち込まなければならない。特に、踏み板の段鼻部の切り欠き空間に軟質材を配設したものでは、軟質材以外の部分に固定具を打ち込む必要があり、その範囲が小さいため固定位置を判断するのは困難であった。
【０００７】
従来には、そのような位置決めのために簡易な位置決め治具が用いられていたが、そのような治具でも、正確に位置決めするためには時間を要していた。
【０００８】
本発明は、このような事情を考慮して提案されたもので、その目的は、階段踏み板に支柱を固定する際に、正確かつ迅速に、支柱の前面での固定位置を位置決めできる階段施工用位置決め治具を提供することにある。
【課題を解決するための手段】
【０００９】
上記目的を達成するために、本発明の位置決め治具は、階段踏み板の前端面に固定する支柱の前面における固定用のマーキング位置を決定するための位置決め治具であって、階段踏み板は、踏み板と、踏み板の段鼻部の切り欠き空間に配設した軟質材とを備えており、階段踏み板の前端面に接するように仮設置した支柱の前面にあてがわれる前板部と、階段踏み板の前端面に接するように仮設置した支柱の側面にあてがわれる側板片と、側板片より後方に延びた、階段踏み板の上下の一方面にあてがわれる上下位置決め用突片とを備え、前板部に、支柱の前面における、支柱と階段踏み板との交差部の高さ位置に対応した交差前面部のうちの少なくとも踏み板の前端面に相当する部位が露出されるマーキング開所が形成されていることを特徴とする。
【発明の効果】
【００１０】
本発明の位置決め治具によれば、上述した構成となっているため、階段踏み板に支柱を固定する際に、正確かつ迅速に、支柱の前面での固定位置を位置決めすることができる。
【図面の簡単な説明】
【００１１】
【図１】（ａ）は本発明の一実施形態に係る階段施工用位置決め治具の斜視図、（ｂ）は位置決め治具の使用状態を示した斜視図である。
【図２】（ａ）は位置決め治具の使用状態を示した縦断面図、（ｂ）は同横断面図である。
【図３】階段施工用位置決め治具の使用態様を模式的に示した説明図（正面図）である。
【図４】他の実施形態に係る階段施工用位置決め治具の説明図であり、（ａ）（ｂ）は２態様の使用状態を示した正面図である。
【発明を実施するための形態】
【００１２】
以下に、本発明の実施の形態について、添付図面をもとに説明する。なお以下では、本実施形態に係る階段施工用位置決め治具１０を位置決め治具１０と省略表記する。また、本明細書および特許請求の範囲では、階段の下方側を前方、上方側を後方として前後を規定した。
【００１３】
以下に説明する実施形態に係る位置決め治具１０は、階段踏み板２０の前端面２０ａに固定する支柱２５の前面２５ａにおける固定用のマーキング位置３３を決定するための治具である。階段踏み板２０は、踏み板２１と、踏み板２１の段鼻部の切り欠き空間に配設した軟質材２２とを備えている。
【００１４】
位置決め治具１０は、階段踏み板２０の前端面２０ａに接するように仮設置した支柱２５の前面２５ａにあてがわれる前板部１１と、その支柱２５の側面２５ｂにあてがわれる側板片１２と、側板片１２より後方に延びた上下位置決め用突片１３とを備えている。この上下位置決め用突片１３は、階段踏み板２０の上下の一方面にあてがわれる。また、前板部１１には、支柱２５の前面２５ａにおける踏み板２１の前端面２１ａに対応した部位の一部が露出されるマーキング開所１４が形成されている。
【００１５】
特に本実施形態として例示した位置決め治具１０は、側板片１２として、支柱２５の幅寸法分、離間して左右に２片形成され、それぞれの後端に上下位置決め用突片１３が連成されている。より具体的には、この位置決め治具１０は、図１（ａ）に示すように、矩形状の前板部１１と、その左右両端のそれぞれより後方に延びた側板片１２と、さらに後方に延びた上下位置決め用突片１３とを一体に備えている。なお、本実施形態のものでは、側板片１２および上下位置決め用突片１３が左右で同形状とされる。
【００１６】
この位置決め治具１０の素材は特に限定されず、合成樹脂材や金属材、木質材などが挙げられる。なお、位置決め治具１０の各部の寸法は、対象となる階段踏み板２０や支柱２５の寸法により定まるが、厚みについては特に限定はない。
【００１７】
この位置決め治具１０は、階段踏み板２０の前端面２０ａと、手摺り用の支柱２５との釘やビスなどの固定具による固定のために用いられる治具である。
【００１８】
階段踏み板２０は、その本体をなす木質材などよりなる踏み板２１と、段鼻部分に配された軟質材２２と、上面２０ｂおよび前端面２０ａを含む階段踏み板２０の表面部分を被覆した化粧用のシート材（不図示）とを備えている（図１（ｂ）参照）。このシート材により踏み板２１、軟質材２２およびそれらの境界部が露出することはないが、わかりやすさを考慮してシート材の図示を省略した。なお、２７は階段踏み板２０を下方より支持している蹴込み板である。
【００１９】
このような階段踏み板２０の前端面２０ａに支柱２５を取付固定するために、位置決め治具１０の前板部１１には、左右方向のほぼ中央で、上下方向の中央よりやや下側に丸孔が開設されている。この丸孔は支柱２５の前面２５ａの一部を露出させる開口よりなるマーキング開所１４である。階段を施工する作業者は、そのマーキング開所１４より支柱２５の露出した前面２５ａを覗きながら、ビスや釘などの固定具を打ち込む位置を決定できるようになっている。
【００２０】
また、前板部１１の左右の幅寸法は側板片１２の外面間寸法に一致する。つまり、後述するように、本位置決め治具１０は両側板片１２で支柱２５を抱持する構成となっているため、前板部１１の左右の幅寸法は、支柱２５の幅寸法に、２つの側板片１２の厚さ寸法を加えた値に概ね合致する。
【００２１】
また、側板片１２は矩形状とされ、支柱２５を両側より抱持するように、前板部１１の両端から後方に相互に平行に延びている。側板片１２の幅寸法（内寸）は、支柱２５の奥行き寸法と概ね一致するか、あるいは支柱２５の奥行き寸法よりも小さければよい。
【００２２】
上下位置決め用突片１３は、側板片１２の上部から後方に角棒状に延びてなり、裏面は平坦面をなしていることが望ましい。この裏面と、側板片１２の後端面とのなす角度がほぼ直角となっている。
【００２３】
図１（ｂ）は位置決め治具１０の使用状態を示した図である。この図に示すように、位置決め治具１０は、上下位置決め用突片１３が階段踏み板２０の上面２０ｂに載せられ、側板片１２の後端面が階段踏み板２０の前端面２０ａに面接触するように、支柱２５の前面２５ａ側よりあてがわれて使用される。なお、側板片１２の後端面と階段踏み板２０の前端面２０ａとは接触しなくてもよく、それらの間に隙間ができてもよい。
【００２４】
この使用状態では、図２（ａ）（ｂ）に示すように、前板部１１の内面は支柱２５の前面２５ａに面接触し、側板片１２の内面は支柱２５の側面２５ｂに面接触した状態にある。
【００２５】
こうして上下位置決め用突片１３を階段踏み板２０の上面２０ｂに載せた状態で使用することで、支柱２５の階段踏み板２０への取付固定において、高さ方向の適切な位置に固定具を打ち込むことができる。ついで、適切な位置に固定具を打ち込むことための、前板部１１のマーキング開所１４と階段踏み板２０、支柱２５との位置関係について、図２および図３を参照しながら説明する。
【００２６】
図３に示すように、前板部１１は、支柱２５の前面２５ａにおける交差前面部３１を覆うようにあてがわれる。この交差前面部３１は、階段踏み板２０と支柱２５との交差部（交差面）が支柱２５の前面２５ａに水平移動して仮想的に表れた部位である。この交差前面部３１のうち踏み板２１の前端面２１ａに対応した矩形状の部位が、固定具を打ち込みできる打ち込み可能部位３２である。
【００２７】
マーキング開所１４は、この打ち込み可能部位３２の範囲内の一部が露出するように設けられている。特に、このマーキング開所１４は、階段踏み板２０の前端面２０ａにおける踏み板２１と軟質材２２との境界から下端位置までの中間の高さ位置（打ち込み可能部位３２の範囲内の上下の中心位置）に形成されている。
【００２８】
さらに、本実施形態では、マーキング開所１４は支柱２５の幅方向の中心位置にも対応している。ようするに、位置決め治具１０を所定の位置にあてがうことで、打ち込み可能部位３２の中心位置がマーキング開所１４によって露出する。
【００２９】
このように、位置決め治具１０は、階段踏み板２０の上に載せて高さ位置を確定できる上下位置決め用突片１３を備えているため、マーキング開所１４で打ち込み可能部位３２の一部を露出させることができる。
【００３０】
以上のように、位置決め治具１０は上述した構成となっているため、固定具の打ち込みが可能な踏み板２１の前端面２１ａに相当する部位に対して、固定具の打ち込み位置（ビスであれば穴開け位置などのマーキング位置３３）をマーキングすることができる。
【００３１】
したがって、階段踏み板２０の厚さ寸法内、特に軟質材２２が階段踏み板２０の前端面２０ａの一部を占めているのでさらに小さな縦方向の寸法内に、図２（ａ）（ｂ）で２点鎖線矢印で示す適切な方向に固定具を打ち込むことができる。つまり、軟質材２２に対して固定具を誤打ち込みすることを回避することができる。
【００３２】
また、マーキング開所１４が、打ち込み可能部位３２の範囲内の上下の中心位置に形成されているため、支柱２５を階段踏み板２０に対して、より強固に固定することができる。
【００３３】
なお、マーキング開所１４は打ち込み可能部位３２の範囲内の中心位置に対応したものであることが望ましいが、それには限られず、打ち込み可能部位３２の矩形範囲内であればどこでもよい。また、打ち込み可能部位３２のほぼ全体が露出される矩形状のマーキング開所１４であってもよい。さらに、マーキング開所１４は窓形状の孔で構成されていなくてもよく、半円形状などの切り欠きで構成されたものでもよい。
【００３４】
また、本実施形態に係る位置決め治具１０は左右一対の上下位置決め用突片１３を備えているため、階段踏み板２０および支柱２５に対して安定して治具を装着することができる。さらに、手を放しても位置決め治具１０が落下しないように、長めの上下位置決め用突片１３を備えるようにしてもよい。また、上下位置決め用突片１３は１片のみでもよく、その１片で階段踏み板２０の上面２０ｂに安定的にあてがうことができるようなものでもよい。また、上下位置決め用突片１３が階段踏み板２０の下面にあてがわれるように、側板片１２の下部より突出させたものであってもよい。
【００３５】
また、本実施形態の位置決め治具１０は一体に形成されているが、図４（ａ）（ｂ）の正面図に示したように、左右に分割された２片よりなる位置決め治具１０であってもよい。これらの図は正面図であるため、図４（ａ）（ｂ）では側板片１２、上下位置決め用突片１３を破線で示した。
【００３６】
この位置決め治具１０は、概ね左右対称形状の分割片１０Ａを２つ組み合わせてなる。２つの分割片１０Ａは離間した状態でも結合保持が可能とされている。
【００３７】
具体的には、前板部１１が左右の中心位置で分割されており、マーキング開所１４も半円形状に分割されている。それぞれの分割前板１１Ａには切り欠き半円形状の分割開所１４Ａが形成されており、図４（ａ）に示すように、分割前板１１Ａが突き合わされることで円形のマーキング開所１４が形成されるようになっている。
【００３８】
また、これらの分割片１０Ａには、図４（ｂ）に示すように、一方の分割前板１１Ａには上下２本のスライド棒１６が形成され、他方の分割前板１１Ａにはスライド棒１６を受け入れるスライド凹部１７が形成されている。このようなスライド結合構造により、両分割片１０Ａは離間した状態で結合状態を保持できるようになっている。
【００３９】
こうして、位置決め治具１０は前板部１１が幅広な状態でも使用することができる。図４（ｂ）のように前板部１１を幅広に変形させればマーキング開所１４も左右に拡がるが、高さ位置については図４（ａ）の状態と同じであるため、マーキング位置３３を決定するためにはなんらの問題もない。
【００４０】
このように位置決め治具１０を分割して構成することで、２つの分割片１０Ａを離間させて用いて、幅寸法の大きい支柱２５に対応させることができる。
【符号の説明】
【００４１】
１０          位置決め治具
１１          前板部
１２          側板片
１３          上下位置決め用突片
１４          マーキング開所
２０          階段踏み板
２０ａ        前端面
２０ｂ        上面
２１          踏み板
２１ａ        前端面
２２          軟質材
２５          支柱
２５ａ        前面
２５ｂ        側面
３１          交差前面部
３２          打ち込み可能部位
３３          マーキング位置
【図１】
2017053152.tif 000003
【図２】
2017053152.tif 000004
【図３】
2017053152.tif 000005
【図４】
2017053152.tif 000006